(57)【特許請求の範囲】
【請求項１】
貯蔵室に貯蔵された貯蔵物を、１回の回転操作につき、単回供給分づつ外部へ供給する供給装置のカウンタ機構において、
前記カウンタ機構は、
供給装置本体に固定され、且つ円周方向の所定位置に第１接触部を有する固定部材と、
外部から見ることができるカウント数表示を具備する歯車と、
単回供給分の貯蔵物の供給を許容する回転方向の第１位置と貯蔵物の供給を阻止する第２位置との間の所定角度の範囲内で回転規制されている回転部材と、
該回転部材に連動して回転可能で且つ円周方向の所定位置に第２接触部を有するリング部材と、を具備し、
前記第１接触部及び第２接触部のいずれか一方は、爪を有する弾性変形可能なカム・フォロア部からなり、他方は該カム・フォロア部に当接可能なカム部からなり、前記回転部材が第１位置及び第２位置間を１ストローク分の往復移動をする間の往路及び復路の一方の移動の間に、前記カム部がカム・フォロア部の前記爪を前記歯車に係合させて該歯車を前記カウント数表示の１表示分のみ回転させ、前記回転部材の他方の移動の間は、カム・フォロア部の前記爪を前記歯車に係合させないように、前記歯車を回転制御する、ことを特徴とする供給装置のカウンタ機構。
【請求項２】
前記固定部材の第１接触部をカム・フォロア部とし、前記リング部材の第２接触部をカム部としたことを特徴とする請求項１に記載のカウンタ機構。
【請求項３】
前記リング部材に、前記歯車に係合する突起を設け、該歯車をカウント数表示の変更時以外は前記リング部材に対して動かないように該歯車の空転が阻止されることを特徴とする請求項２に記載のカウンタ機構。
【請求項４】
前記固定部材の第１接触部をカム部とし、前記リング部材の第２接触部をカム・フォロア部としたことを特徴とする請求項１に記載のカウンタ機構。
【請求項５】
前記固定部材に、前記歯車に係合する突起を設け、該歯車をカウント数表示の変更時以外は前記固定部材に対して動かないように該歯車の空転が阻止されることを特徴とする請求項１に記載の供給装置のカウンタ機構。
【請求項６】
前記歯車は、リング状であって、外面に歯面を有する円筒部と該円筒部に一体的に形成されたフランジ部とからなり、該フランジ部に前記カウント数表示が設けられ、
前記回転部材は、供給装置のノズル部と、該ノズル部より径の大きく且つ供給装置の回転操作をするに適した円筒部と、該ノズル部と円筒部とを連結する円板部とが一体形成されたものであり、且つ外部から前記カウント数表示を見ることのできる窓を有することを特徴とする請求項１に記載のカウンタ機構。
【請求項７】
前記カウント数表示は、前記フランジ部の前記円筒部とは反対側の面に設けられ、前記窓は、前記回転部材の円板部に設けられていることを特徴とする請求項６に記載のカウンタ機構。
【請求項８】
前記回転部材と前記歯車のフランジ部との間に、前記カウント数表示を見るための小孔を有する薄板を備えていることを特徴とする請求項６又は７に記載の供給装置のカウンタ機構。
【請求項９】
前記カウント数表示は、前記フランジ部の外周側壁面に設けられ、前記窓は、前記回転部材の円筒部に設けられていることを特徴とする請求項６に記載のカウンタ機構。
【請求項１０】
請求項１〜９のいずれか１項に記載のカウンタ機構を具備する供給装置であって、
多回供給操作分の貯蔵物を貯蔵可能な貯蔵室と、
該貯蔵室の壁面の一部に設けた単回供給操作分の貯蔵物を収容可能な収容室と、
前記回転部材が充填位置にあるとき、単回供給操作分の貯蔵物の前記貯蔵室から前記収容室への充填を許容し、前記回転部材が供給位置にあるとき、前記収容室内の単回供給操作分の貯蔵物の外部への吐出を許容する貯蔵物導出部と、
前記収容室の前記貯蔵室とは反対側にフィルタを介して連通可能に取り付けられたポンプ部と、
から成ることを特徴とする供給装置。
【請求項１１】
前記収容室は、前記貯蔵室の底面の下部に設けられ、
前記貯蔵物導出部は、前記貯蔵室の底面との間で接触を保ちつつ充填位置と供給位置との間を移動可能となるように、前記回転部材と連動して回転可能であり、
充填位置にて該貯蔵物導出部に設けた開口手段により前記収容室を前記貯蔵室に対して開口することにより、前記貯蔵室から前記収容室への充填を許容し、
供給位置にて前記収容室を前記貯蔵室に対して閉鎖すると共に、該貯蔵物導出部に設けた導出経路を通して前記回転部材に設けたノズルに連通させ、前記ポンプ部を操作することにより、前記収容室内の単回供給操作分の貯蔵物を前記導出経路及びノズルを介して外部に吐出可能としたことを特徴とする請求項１０に記載の供給装置。
【請求項１２】
前記貯蔵室の底面に、前記ポンプ部に連通する穴が設けられ、充填位置にて該穴は該前記ポンプ部を、前記貯蔵物導出部の導出経路及び前記回転部材のノズルを介して外部に連通させ、供給位置にて該穴は前記貯蔵物導出部により閉じられることを特徴とする請求項１１に記載の供給装置。
【発明の詳細な説明】
【技術分野】
【０００１】
本発明は、粉末或いは液体等を供給する供給装置のカウンタ機構、及びこのようなカウンタ機構を備えた供給装置に関する。
【背景技術】
【０００２】
従来、一定量の粉末薬剤を複数回投与することができる粉末薬剤多回定量供給装置が知られている（例えば、特許文献１）。この装置は次のような構造を有する。即ち、多回投与操作分の粉末薬剤を貯蔵可能な薬剤貯蔵室の底面の下部に単回投与操作分の粉末薬剤を収容可能な薬剤収容室を設ける。薬剤導出部は薬剤貯蔵室の底面との間で接触を保ちつつ充填位置と投与位置との間を移動可能で、充填位置にて薬剤収容室を薬剤貯蔵室に開口させ、投与位置にて薬剤収容室を薬剤貯蔵室に対して閉鎖すると共に管を介して前記薬剤収容室を装置の外部へ連通させる。薬剤導出部が充填位置にあるとき薬剤貯蔵室内の粉末薬剤が薬剤収容室内に充填され、充填位置から投与位置へ移動される際、薬剤収容室内の粉末薬剤が単回投与操作分に摩り切り計量され、投与位置にて、ポンプ部を操作することによりフィルターを介して薬剤収容室に空気を送り込み、薬剤収容室内の粉末薬剤を空気と共に管を介して装置外部へ噴射されるように構成してある。
【０００３】
【特許文献１】ＷＯ００／４１７５５明細書
【特許文献２】ＷＯ０１／９５９６２明細書
【特許文献３】特許２９２４９２４号公報
【特許文献４】ＷＯ０５／００２６５４明細書
【特許文献５】ＷＯ０２／０９１２９３明細書
【発明の開示】
【発明が解決しようとする課題】
【０００４】
特許文献１、２に開示されている装置は、回転操作とポンプの操作のみで、一定の分量の粉末薬剤を正確に噴霧・吸入投与可能であるため、使用時の操作が簡便で、携帯に便利で、且つ比較的安価に製造することができる、という利点がある。
【０００５】
しかしながら、この装置には、粉末薬剤の投与回数を表示するカウンタ機構を具備していないために、内部に貯蔵されている粉末薬剤の量を把握するのが困難な場合がある。
【０００６】
また、粉末薬剤の吸入器等のカウンタリング手段が知られている（例えば、特許文献３〜５）。特許文献３に開示されているカウンタリング手段は、ばねにより爪を、軸が同じ２つの歯車に係合させ、該２つの歯車の歯の深さを変えることで、回転運動とともに該２つの歯車が異なるインターバルで動くことを特徴とし、部品点数が多く、また構造が複雑である。特許文献４に開示されているカウンタリング手段は、噴霧のための吸入器の回転操作を、軸が異なる２つの歯車を介してカウント数表示を具備する２つの歯車に連動させるもので、これも部品点数が多く、また構造が複雑である。特許文献５に開示されているカウンタリング手段は、プロペラ型のアクチュエータの上下動をこのプロペラと機械的に係合している歯車を介してカウンタの回転運動に変えることを特徴とし、部品点数が少なく、また構造も複雑でないが、特許文献１に開示されている薬剤充填操作が回転操作であるような装置には適していない。
【０００７】
そこで、本発明の目的は、簡単な構造で、貯蔵物の供給回数をカウントすることにより目視不可能な装置内部の貯蔵物の残量を把握することが可能な供給装置のカウンタ機構、及びこのようなカウンタ機構を備えた定量供給装置を提供することを課題とする。
【課題を解決するための手段】
【０００８】
上記の課題を達成するために、本発明によれば、貯蔵室に貯蔵された貯蔵物を、１回の回転操作につき、単回供給分づつ外部へ供給する供給装置のカウンタ機構において、前記カウンタ機構は、供給装置本体に固定され、且つ円周方向の所定位置に第１接触部を有する固定部材と、外部から見ることができるカウント数表示を具備する歯車と、単回供給分の貯蔵物の供給を許容する回転方向の第１位置と貯蔵物の供給を阻止する第２位置との間の所定角度の範囲内で回転規制されている回転部材と、該回転部材に連動して回転可能で且つ円周方向の所定位置に第２接触部を有するリング部材と、を具備し、前記第１接触部及び第２接触部のいずれか一方は、爪を有する弾性変形可能なカム・フォロア部からなり、他方は該カム・フォロア部に当接可能なカム部からなり、前記回転部材が第１位置及び第２位置間を１ストローク分の往復移動をする間の往路及び復路の一方の移動の間に、前記カム部がカム・フォロア部の前記爪を前記歯車に係合させて該歯車を前記カウント数表示の１表示分のみ回転させ、前記回転部材の他方の移動の間は、カム・フォロア部の前記爪を前記歯車に係合させないように、前記歯車を回転制御する、ことを特徴とする供給装置のカウンタ機構が提供される。
【０００９】
また、次のような構成が可能である。
【００１０】
ａ）前記固定部材の第１接触部をカム・フォロア部とし、前記リング部材の第２接触部をカム部としたもの。
【００１１】
ｂ）逆に、前記固定部材の第１接触部をカム部とし、前記リング部材の第２接触部をカム・フォロア部としたもの。
更に、上記のａ）及びｂ）のいずれにおいても、
【００１２】
ｃ）前記リング部材に、前記歯車に係合する突起を設け、該歯車をカウント数表示の変更時以外は前記リング部材に対して動かないように該歯車の空転が阻止される構成とすること。この構成によれば、常時は、歯車は回転部材及びリング部材と共に回転することとなる。
【００１３】
ｄ）逆に、前記固定部材に、前記歯車に係合する突起を設け、該歯車をカウント数表示の変更時以外は前記固定部材に対して動かないように該歯車の空転が阻止される構成とすること。この構成によれば、常時は、歯車は固定部材と共に静止されている状態となる。
【００１４】
また、上記のいずれの場合においても、前記歯車は、リング状であって、外面に歯面を有する円筒部と該円筒部に一体的に形成されたフランジ部とからなり、該フランジ部に前記カウント数表示が設けられ、前記回転部材は、供給装置のノズル部と、該ノズル部より径の大きく且つ供給装置の回転操作をするに適した円筒部と、該ノズル部と円筒部とを連結する円板部とが一体形成されたものであり、且つ外部から前記カウント数表示を見ることのできる窓を有することを特徴とする。
【００１５】
この場合において、前記カウント数表示は、前記フランジ部の前記円筒部とは反対側の面に設けられ、前記窓は、前記回転部材の円板部に設けられていることを特徴とする。この場合において、前記回転部材と前記歯車のフランジ部との間に、前記カウント数表示を見るための小孔を有する薄板を備えることもできる。
【００１６】
或いは、前記カウント数表示は、前記フランジ部の外周側壁面に設けられ、前記窓は、前記回転部材の円筒部に設けられていることを特徴とする。
【００１７】
また、本発明においては、上記のようなカウンタ機構を具備する供給装置であって、多回供給操作分の貯蔵物を貯蔵可能な貯蔵室と、該貯蔵室の壁面の一部に設けた単回供給操作分の貯蔵物を収容可能な収容室と、前記回転部材が充填位置にあるとき、単回供給操作分の貯蔵物の前記貯蔵室から前記収容室への充填を許容し、前記回転部材が供給位置にあるとき、前記収容室内の単回供給操作分の貯蔵物の外部への吐出を許容する貯蔵物導出部と、前記収容室の前記貯蔵室とは反対側にフィルタを介して連通可能に取り付けられたポンプ部と、から成ることを特徴とする供給装置が提供される。
【００１８】
この供給装置において、前記収容室は、前記貯蔵室の底面の下部に設けられ、前記貯蔵物導出部は、前記貯蔵室の底面との間で接触を保ちつつ充填位置と供給位置との間を移動可能となるように、前記回転部材と連動して回転可能であり、充填位置にて該貯蔵物導出部に設けた開口手段により前記収容室を前記貯蔵室に対して開口することにより、前記貯蔵室から前記収容室への充填を許容し、供給位置にて前記収容室を前記貯蔵室に対して閉鎖すると共に、該貯蔵物導出部に設けた導出経路を通して前記回転部材に設けたノズルに連通させ、前記ポンプ部を操作することにより、前記収容室内の単回供給操作分の貯蔵物を前記導出経路及びノズルを介して外部に吐出可能としたことを特徴とする。
【００１９】
更に、前記貯蔵室の底面に、前記ポンプ部に連通する穴が設けられ、充填位置にて該穴は該前記ポンプ部を、前記貯蔵物導出部の導出経路及び前記回転部材のノズルを介して外部に連通させ、供給位置にて該穴は前記貯蔵物導出部により閉じられることを特徴とする。これによれば、前述のＷＯ０１／９５９６２（特許文献２）に記載されているような、貯蔵室の底面に圧力抜きの孔を設けたものについて、本発明のカウンタ機構を好適に適用することができる。
【００２０】
本発明のカウンタ機構は、往復回転動作によりカウント機能を発揮することが可能である。
【００２１】
前記回転動作は、多回供給分の貯蔵物を貯蔵した供給装置において、単回供給分の貯蔵物を計量する際に発生するものであり、かかる貯蔵物の計量時に発生する回転動作に連動するカウンタ機構により、貯蔵物の供給回数をカウントすることが可能である。
【００２２】
このようにして単回供給分の貯蔵物を計量し、供給することができる供給装置としては、ＷＯ００／４１７５５号明細書（特許文献１）、ＷＯ０１／９５９６２号明細書（特許文献２）、特開２００３−１７５１０３号公報、または特開２００３−１７５０９３号公報に記載された装置を挙げることができる。なお、ＷＯ００／４１７５５明細書（特許文献２）に記載されている供給装置のように、貯蔵室の底面に圧力抜きの孔を有していないものについても、本発明のカウンタ機構を適用可能であることは勿論である。
【００２３】
また本発明の貯蔵物は、多回供給分を貯蔵し、それを単回供給分ずつ計量して供給するものであればその性質・形態を問わない。かかる、貯蔵物としては、食品、健康食品、または医薬品などをあげることができる。またこの様な貯蔵物の形態として、粉末、顆粒、細粒等の固体、半固体あるいは液体を挙げることができる。空気圧により貯蔵物を吐出する場合は粉末を、装置を傾けたり、逆さにすることにより貯蔵物を吐出する場合は液体を、それぞれ好ましいものとして挙げることができる。
【００２４】
前記食品としては、調味料、香辛料など、その種類は問わない。また、必要に応じて従来公知の安定剤、酸化防止剤、等の添加物を適宜加えることもできる。
【００２５】
前記健康食品としては、ビタミン剤やその他栄養剤に代表されるサプリメントを挙げる事ができる。また、必要に応じて従来公知の安定剤、酸化防止剤、等の添加物を適宜加えることもできる。
【００２６】
前記医薬品は、例えば薬物、乳糖、デンプン、セルロース類、ポリビニルポリマー等従来公知の賦形剤とから構成することもできるし、或いは、薬物単独で構成することもできる。また、必要に応じて従来公知の安定剤、酸化防止剤、等の添加物を適宜加えることもできる。通常製剤化に用いられる担体や賦形剤、その他の添加剤としては、例えば乳糖、ステアリン酸マグネシウム、スターチ、タルク、ゼラチン、寒天、ペクチン、アラビアゴム、オリーブ油、ゴマ油、カカオバター、エチレングリコール等、その他常用のものが挙げられる。
【００２７】
このような医薬品は、たとえば経口投与、経鼻投与、点眼、吸入、直腸投与、経膣投与などを挙げる事ができる。
【００２８】
本発明で使用する薬物としては、幅広く種々の薬物について利用可能である。その具体例としては、消炎ステロイドまたは非ステロイド系消炎薬、解熱鎮痛薬、鎮静剤、鬱病治療薬、鎮咳去痰薬、抗ヒスタミン薬、抗アレルギー薬、制吐薬、催眠薬、ビタミン剤、性ステロイドホルモン薬、抗腫瘍薬、抗不整脈薬、高血圧薬、抗不安薬、向精神薬、抗潰瘍薬、強心薬、鎮痛薬、気管支拡張薬、肥満治療薬、血小板凝集阻害薬、糖尿病薬、筋弛緩薬、片頭痛薬、抗リウマチ薬、抗生物質薬、血管収縮薬等の非ペプチド・蛋白質性薬物を挙げることができる。さらには、ホルモン類、サイトカイン類、抗体類、ワクチン類などのペプチド・蛋白質性薬物や、アンチセンスや遺伝子などの核酸類などもその具体例として挙げることができる。
【発明の効果】
【００２９】
このように本発明は、簡単な構造で、貯蔵物の供給回数をカウントすることにより目視不可能な装置内部の貯蔵物の残量を把握することが可能な供給装置のカウンタ機構、及びこのようなカウンタ機構を備えた定量供給装置を提供できるという優れた効果を奏するものである。
【発明を実施するための最良の形態】
【００３０】
以下、添付図面を参照して本発明の実施の形態について詳細に説明する。
図１は本発明のカウンタ機構を備えた薬剤供給装置を示す。図２はこの供給装置の一部、主として第１実施形態に係るカウンタ機構の分解斜視図であって、このカウンタ機構を構成する各部品を示す。
【００３１】
まず、第１実施形態に係るカウンタ機構について説明する。図３は装置本体の蓋部、図４〜図７はカウンタ機構の構成部品をそれぞれ示し、図４は固定台、図５は歯車、図６はリング部材、図７は回転部材を示す。
【００３２】
図３に示す蓋部４は、後述する薬剤貯蔵室５ａの蓋を構成する。蓋部４の上面には約１８０°対向する位置に上方に突き出た１対の突起４ａが設けられている。なお、突起４ａの数は、後述のように固定台１０が蓋部４に不動の状態に保持できれば、１個でも複数個でも良い。
【００３３】
図４に示すリング状の固定台１０は、フランジ部１１と円筒部１２とが適当な樹脂等で一体的に形成されたもので、フランジ部１１の底面には約１８０°対向する位置に１対の孔１３が設けてある。固定台１０は１対の孔１３が蓋部４の１対の突起４ａに嵌合されることにより蓋部４上に回転不能に固定される。孔１３は、固定台１０が蓋部４に不動の状態に保持できれば、１個でも複数個でも良い。なお、適当な樹脂の例としては、ポリエチレン、ポリプロピレン、ポリエチレンテレフタレート、ポリスチレン、ポリ塩化ビニール、環状ポリオレフィン等が挙げられる。以下、「樹脂」といえば、同様のものが例として挙げられる。
【００３４】
固定台１０のフランジ部１１には、後述する歯車２０の空転を防止するための１対の突起１４が約１８０°対向する位置に設けられ、円筒部１２と略平行に延びて、これらの突起先端部は半径方向内側に向いている。また、固定台１０のフランジ部１１には、後述のリング部材３０の弾性部３２と協働してカム機構を構成する１対のカム山１５が約１８０°対向する位置に設けてある。更に、後述する回転部材４０のスリット４５に嵌合する１つの突起１６が固定台１０のフランジ部１１の外周に外側へ突出するように設けてある。カム溝１７は、１対のカム山１５に対向してその半径方向の内側に設けられており、後述するように、リング部材３０の爪部３２がカム山１５に接触した際に、このカム溝１７に沿って、半径方向の内側へ移動して、歯車２０の歯面に係合することができる。
【００３５】
図５に示すリング状の歯車２０は、適当な樹脂等で一体的に形成されたもので、フランジ部２１、内筒部２２、外歯２３からなり、内筒部２２が固定台１０の円筒部１２の外周に回転可能に嵌合している。しかしながら、歯車２０が固定台１０に嵌合されている間、固定台１０の１対の突起１４が外歯２３に軽く接触ないし嵌合しており、歯車２０が固定台に対して空転するのを阻止している。フランジ部２１の外歯２３とは反対側の面には、円周方向に薬剤の投与回数をあらわす目盛り２４が刻まれている。
【００３６】
図６に示すリング部材３０は、適当な樹脂等で一体成形された略リング状のもので、リングの内周側に少し突き出して所定の距離だけ周方向に延びた約１８０°の間隔で１対の弾性部３１を有し、各弾性部３１の先端に内側に突き出た爪部３２を有する。更に、これらの爪部３２の下側にやや突き出したカム・フォロア部の突起３３を有する。これらの１対の弾性部３１はリング部材３０に対して弾性変形可能であり、カム・フォロア部の突起３３は固定台１０の１対のカム山１５と協働してカム機構を構成するものである。
【００３７】
リング部材３０はまたその外周部には外側に突き出た、複数の例えば図示のように円周方向に等間隔に形成された３個の突起３４を有する。これらの突起３４は、後述の回転部材の孔４４に嵌合して、リング部材３０を回転部材４０と一緒に回転させるものである。なお、突起３４の数は、リング部材３０と回転部材４０を一緒に回転させることができれば、限定されない。例えば、１個又は２個でもよい。
【００３８】
図７に示した回転部材４０は、貯蔵物を吐出するノズル部４１、円板部４２、円筒部４３が樹脂等で一体的に形成されたもので、円筒部４３には、リング部材３０の突起３４に嵌合する、例えば円周方向に等間隔に形成された３個の孔４４を有すると共に、固定台１０の突起１６に係合する円周方向に所定角度延びたスリット４５が形成される。
【００３９】
したがって、回転部材４０はスリット４５で規定される所定角度の範囲内で、固定台１０に対して回転することができ、後述するように、単回供給分の貯蔵物を計量する第１位置（充填位置）と、計量した貯蔵物の吐出を許容する第２位置（吐出位置）との間の所定角度の範囲内で回転可能となる。なお、回転部材４０の回転範囲を規制するためのスリット４５は、この実施形態では、図７に示すように、回転部材４０の円筒部４３に設けられているが、このスリット４５を回転部材４０の円板部４２に設け、一方、固定台１０の突起１６をこのスリットに嵌合する位置に設け、同様の機能を果たさせることもできる。
【００４０】
なお、突起の位置は、スリットと回転規制ができるように設けられていればよい。例えば、図１３及び１４に示すように、歯車の２０のフランジ部と回転部材４０の円板部との間に小孔５１を有するリング状の薄板５０を介在させ、この薄板５０の上面に回転部材４０の円板部４２に設けたスリットと嵌合するように突起５２を設けることもできる。この場合は、薄板５０と固定台１０が一緒に動くように両者を固定した構造（例えば薄板５０の下面に円筒部５３を設け、この円筒部５３と固定台１０の円筒部１２とを固定させる。）を採用することができる。なお、薄板５０の小孔５１と歯車２０の吐出位置での目盛部とを一致させておくことができる。このようにすれば、目盛は吐出位置でのみ目視でき、その他の位置では見えなくなるので、吐出位置と充填位置が判り易くなる。なお、薄板５０の構造として、図１３及び図１４に示すものを挙げることができる。
【００４１】
これらの蓋部４、固定台１０、歯車２０、リング部材３０及び回転部材４０は同心円上に組み付けられ、その組み付け状態を図１の上部にて示す。蓋部４は、薬剤貯蔵部５の周囲に嵌合・固定され、回転部材４０の内周突起４０ａが薬剤貯蔵部５の周溝５ｄに回転可能に嵌合して、固定台１０、歯車２０、リング部材３０は、蓋部４と回転部材４０との間に配置され、各部品が軸方向には移動しないように固定される。
【００４２】
組み付け状態では、前述のように、回転部材４０のスリット４５が固定台１０の突起１６に嵌合し、固定台１０が蓋部に固定され、蓋部が薬剤貯蔵部５に固定されていることにより、回転部材４０は固定台１０に対して、即ち薬剤貯蔵部５に対して、スリット４５で規制された所定の角度で回転可能になる。
【００４３】
そして、リング部材３０はその周囲の３個の突起３４が回転部材４０の３個の対応する孔４４に嵌合しているので、回転部材４０と一体的に回転する。
【００４４】
したがって、回転部材４０が単回供給分の貯蔵物の吐出を許容する第１位置（充填位置）と、貯蔵物の供給を阻止する第２位置（吐出位置）との間の所定角度の範囲内で回転する際に、リング部材３０も同様に同一の角度範囲内で、固定台１０に対して回転移動することとなる。
【００４５】
次にリング部材３０が第１位置から第２位置へ移動し、また第２位置から第１位置へ戻る間に、歯車２０を目盛り１コマのみ回転させて、カウント表示を行う動作について説明する。
【００４６】
例えば、リング部材３０が第１位置から第２位置へ回転移動する際、弾性部３１の先端のカム・フォロア部３３が固定台１０のカム山１５に当接し、弾性部３１の先端の爪部３２は半径方向内側に押される。その際、爪部３２は固定台１０のカム溝１７の内側で、歯車２０の外歯２３に係合する。そして、歯車２０は突起１４による抵抗に抗して、爪部３２により回転させられる。歯車２０が１歯分ないし１目盛り分回転すると、弾性部３１の先端のカム・フォロア部３３が固定台１０のカム山１５の反対傾斜面にて、爪部３２は半径方向外側へ戻され、爪部３２は歯車２０の外歯２３から外れる。歯車２０は固定台１０の突起１４により空転が阻止されているので、１歯分ないし１目盛り分だけしか回転しない。
【００４７】
次に、リング部材３０が第２位置から第１位置へ戻る際は、同様に、弾性部３１の先端のカム・フォロア部３３が固定台１０のカム山１５に到達するが、この時は、カム山１５の反対面に接触するものの、カム山１５を乗り越える動作のみとなる。即ち、弾性部３１の先端の爪部３２はリング部材３０の軸方向には多少変位されるが、半径方向には移動されないので、爪部３２が歯車２０の外歯２３に係合することはなく、したがって、歯車２０は固定台１０の突起１４により空転が阻止されたままの状態となる。
【００４８】
このように、リング部材３０が第１位置から第２位置へ移動する時のみ、歯車２０の目盛り１コマのみ回転される。もっとも、逆に、リング部材３０が第２位置から第１位置へ戻る時のみ、歯車２０の目盛りを回転させ、第１位置から第２位置へ回転移動する際には、歯車２０の回転を停止させたままとしておくことも可能である。
【００４９】
このように、リング部材３０を第１位置から第２位置へ移動させて、単回操作分の貯蔵物を吐出した後、リング部材３０が第２位置から第１位置へ戻すことで１回の操作が完了する毎に、歯車２０の目盛り１コマのみ回転され、例えば歯車２０のフランジ部２１の外歯２３側とは反対側のリング状の面に、図５（ｂ）に示すような目盛り２４等の表示を設けておくことで、例えば回転部材４０の円板部４２の窓（図示せず）を介して目盛りを外部から見ることができ、装置の容器内の薬剤の使用回数を知ることができる（図１５）。
【００５０】
また、図１６のように、歯車２０のフランジ部２１の側面に目盛り２４を設け、回転部材４０の側面から目盛りを見るようにすることもできる。
次に、供給装置について図１を参照して説明する。基本的には、前述のように、ＷＯ００／４１７５５号明細書、ＷＯ０１／９５９６２号明細書、特開２００３−１７５１０３号公報、又は特開２００３−１７５０９３号公報に記載されている粉末薬剤多回投与器において採用されている定量供給装置を採用することができる。
【００５１】
供給装置の実施形態として、薬剤供給装置について図１を参照して説明する。
本体１は、蓋部４と薬剤貯蔵部５とから構成される。薬剤貯蔵部５は、円筒状の側壁と底壁とが樹脂等で一体的に構成されたもので、上面が開放されており、内部に多回投与操作可能な量の粉末薬剤を貯蔵可能な薬剤貯蔵室５ａを規定すると共に、この薬剤貯蔵室５ａの底壁には単回投与操作分の粉末薬剤の容量をもった穴が薬剤収容室５ｂとして規定されている。この薬剤収容室５ｂの底面側には空気を流通させるが粉末薬剤は流通させないフィルター６が装着されている。
【００５２】
蓋部４はその中央に、後述する薬剤導出部２を通過させるための穴４ｂを有する。蓋部４は薬剤貯蔵部５の上面を閉鎖することにより、蓋部４、薬剤貯蔵部５及びこの薬剤導出部２により薬剤貯蔵室５ａ内の密閉性を可能にする。
【００５３】
薬剤導出部２は、本体１の薬剤貯蔵室５ａの中心を上下方向に延び、内部に粉末薬剤或いは空気を流通させる空気通路２ｄを規定する棒状の部分と、薬剤貯蔵部５の内径以下の径を有し、底面２ｅが薬剤貯蔵室５の底面に接触する円盤状の部分とが一体的に樹脂等で構成されたものである。薬剤貯蔵室５ａの底面に中心位置には上方に突出した凸部があり、一方、薬剤導出部２の底部円盤状部分の中心位置には凹部があり、これらが嵌合されることにより、薬剤導出部２が薬剤貯蔵室５ａの内部に回転可能に設置される。
【００５４】
薬剤導出部２の底部円盤状の部分には、薬剤貯蔵室５ａと薬剤収容室５ｂとをつなげるための、薬剤収容室５ｂよりも口径の大きい穴２ｆを有し、薬剤導出部２の底面２ｅが薬剤貯蔵室５ａの底面に接触しながら回転することにより、薬剤貯蔵室５ａの粉末薬剤が薬剤収容室５ｂに流入するのを許容し、また、薬剤貯蔵室５ａと薬剤収容室５ｂを仕切る機能を有する。
【００５５】
また、薬剤導出部２の底部円盤状部分の一部には、薬剤収容室５ｂと本体１の薬剤収容室５ｂを通じポンプ部３から送り込まれる粉末薬剤と空気の空気通路２ｄとをつなげる為の管２ｇを有している。この管２ｇは薬剤導出部２の中心を上下に延びている空気通路２ｄに連通し、図１に示す位置（薬剤の充填位置）では、薬剤貯蔵部５の底壁に設けられている孔５ｃに整合している。
【００５６】
弾性変形可能な袋状のポンプ部３は、本体１を構成している薬剤貯蔵部５の底部に下部に接合される。ポンプ部３を押圧・弛緩することにより、後述のように、粉末薬剤を吐出したり、空気を送り込んだりすることができる。
【００５７】
回転部材４０は、図７に示したように、粉末薬剤を吐出するノズル部４１、円板部４２、円筒部４３が樹脂等で一体的に形成されたもので、ノズル部４１の内部には、粉末薬剤或いは空気を搬送する空気通路４８を有し、先端には噴霧口２ｈを有する。円筒部４３には、前述のように、リング部材３０の突起３３に嵌合する、例えば円周方向に等間隔に形成された３個の孔４４を有すると共に、固定台１０の突起１６に係合する円周方向に所定角度延びたスリット４５が形成される。円筒部４３の内面に形成されている突起４０ａが、本体を構成する薬剤収容部５の周囲に形成された溝５ｄに嵌合することにより、回転部材４０は本体に対してスリット４５で規制された範囲内で回転可能となる。
【００５８】
一方、この回転部材４０のノズル部４１下端の角孔１３ｃが薬剤導出部２の上端の角軸部２ｋに嵌合しており、回転部材４０と薬剤導出部２とは連動して回転するように接続される。
【００５９】
したがって、本体１に対して回転部材４０を外部から回転させることにより、薬剤導出部２は回転部材４０と共に、薬剤貯蔵部５を含む本体１に対して回転移動して、単回供給分の粉末を充填・計量する第１位置（充填位置）と、計量した粉末のノズル部１から外部への吐出を許容する第２位置（吐出位置）との間で回転可能となる。
【００６０】
図１に示す第１位置（充填位置）では、薬剤導出部２の底面２ｅの穴２ｆを本体１の薬剤収容室５ｂに整合している。このように、薬剤貯蔵室５ａと薬剤収容室５ｂを連通させることにより、薬剤貯蔵室５ａ内の粉末薬剤が、薬剤導出部２の孔２ｆを通じて下方に流入し、薬剤収容室５ｂに充填される。その際、薬剤貯蔵室５ａの底面の穴５ｃは、薬剤導出部底面の管２ｇと整合する位置にある。
【００６１】
次に薬剤導出部２を回転部材４０に連動して回転させることにより、薬剤導出部２の底面２ｅが薬剤収容室５ｂ上の薬剤粉末を擦り切ることによって薬剤収容室５ｂ内の粉末薬剤が一定量となり、さらに薬剤導出部２を回転部材４０に連動して回転させることにより、薬剤収容室５ｂが、管２ｇ、空気通路２ｄ、および噴霧口２ｈとがつながった、第２の位置（吐出位置）となる。この状態で、ポンプ部３を押圧して空気を送り込むことによって一定量に秤量された薬剤粉末が、薬剤収容室５ｂから、薬剤導出部２の管２ｇ及び空気通路２ｄを通過し、回転部材４０の噴霧口２ｈより外部へ噴霧される。
【００６２】
粉末薬剤の噴霧後、ポンプ部３はその弾性復帰力によりもとの状態に復帰する際は、外部から回転部材４０の噴霧口２ｈ、薬剤導出部２の空気通路２ｄ及び管２ｇ、薬剤収容部５の穴５ｃを経て、空気がポンプ部３に流入する。
【００６３】
次いで、回転部材４０を初期位置ないし、前述の充填位置へ回転させる。なお、回転部材４０と一緒に薬剤導出部２が回転することにより、薬剤導出部２に設けられた羽根２１が薬剤貯蔵部５ａ内の粉末薬剤を攪拌する。
【００６４】
本発明の定量供給装置は、例えば次のように組み立てることができる。
まず、フィルター６を本体１の底部外側に設置された薬剤収容室５ｂに外側から押し込んで設定位置に設置する。設定位置は本体１成型時に薬剤収容室５ｂに段差を設けることによって規定される。ついで、薬剤導出部２をとり、例えば該薬剤収容室５ｂと薬剤導出部２にある該薬剤収容室よりも口径の大きい穴２ｆとが一致するような位置で薬剤貯蔵部５内へ挿入し、薬剤導出部２の底面２ｅの中心の穴２ｉを本体内部底面の中心にある突起５ｄに挿入して固定する。ここで粉末薬剤の必要量を本体１内薬剤貯蔵室５ａに装填する。ついで、蓋部４をとり中心の穴４ｂに薬剤導出部２を通して本体１に密着させて固定する。ついで、前述のカウンタ機構を構成する固定台１０、歯車２０、リング部材３０を介在させて、回転部材４０を組み込む。その際、薬剤導出部２の先端の断面が非円形の軸部２ｈを回転部材４０の非円形穴１３ｃに嵌合させることで本体１に装着する。軸部２ｋ及び非円形穴１３ｃの断面形状は互いの回転位置を一義的に決めるために、例えば平行な２辺と、これと直角な１辺と、その反対側の２辺から成るホームベース形の五角形であることが好ましい。次にポンプ部３をとり本体１下部に接続して固定して本供給装置を完成する。
【００６５】
尚、薬剤貯蔵室５ａの底面の穴５ｃにも、フィルターを取り付けることも可能である。
【００６６】
本発明のポンプ部３は、粉末薬剤を（噴霧ないし吸入）投与するのに必要な空気を押圧するための要素であるが、かかるポンプとしては可撓性材料又は壁部の少なくとも一部が可撓性材料から形成されるものが好ましい。ここで、少なくとも一部が可撓性材料からなるとは、可撓性材料からなる部分を押圧・弛緩することによって、薬剤収容室５ｂに収容された粉末薬剤を噴霧、吸入可能ならしめる機能を有することを意味する。該ポンプ部３の全体をかかる可撓性材料で構成する場合や、あるいは例えば該ポンプ部３のうち該本体１との接合部付近をのぞく部分を可撓性材料で構成し、それ以外は非可撓性材料で構成する場合も含まれる。
【００６７】
本発明の供給装置は、薬剤貯蔵室５ａ内の薬剤を、回転部材４０に連動して薬剤導出部２を回転させることにより薬剤収容室５ｂに収納し、さらに該薬剤導出部２を逆方向に回転させることにより擦り切って単回投与分の薬剤を該薬剤収容室５ｂ内に分離することにより、スクレーパーなどの特殊な装置を使用せずに、また保存中に起こり得る粉末薬剤のかさ密度の変化や偏りに対しては空気を流通させて密度変化を防ぐなどの手段なしに、薬剤貯蔵室５ａ内に貯えられた複数回投与分の粉末薬剤から単回投与分の薬剤を簡単にかつ正確に分離・定量することができる。
【００６８】
本実施形態の供給装置において、部品数を少なくしたことは装置全体の最小化に寄与していることはいうまでもないが、この他例えば空気通路２ｄが薬剤導出部２の軸の中心に設置されていることなどが装置全体の寸法（高さ）の最小化に寄与しており、携帯にも適する大きさとなっている。
【００６９】
充填位置では、薬剤導出部２の底面２ｅの穴２ｆと該本体１の薬剤収容室５ｂが重なって薬剤収容室５ｂに粉末薬剤が充填され、さらに薬剤貯蔵部５の底面の穴５ｃと薬剤導出部２の管２ｇが合わさることにより、ポンプ部３の内部が投与器の外部と連通した状態となるので、ポンプ部３を圧縮した場合には、ポンプ部３からの薬剤収容室５ｂへの空気圧が軽減され薬剤貯蔵室５ａ内の粉末薬剤は適度に攪拌されて、薬剤収容室５ｂへの充填精度が高まる。回転部材４０及び薬剤導出部２が回転して、吐出位置へ来ると、薬剤導出部２の管２ｇと、薬剤収容室５ｂが連接して該薬剤収容室５ｂ内の粉末薬剤が噴霧可能な状態になる。
【００７０】
本実施形態の供給装置は、前述のとおり、薬剤貯蔵部５に薬剤導出部２および蓋部４を組み合わせることにより薬剤貯蔵室５ａ内は密閉に近い状態とすることができるが、薬剤を充填する際にはこの密閉状態のために、薬剤貯蔵室５ａ、ポンプ部３、および投与器の外部との間で空気圧に差が生じる場合がある。
【００７１】
しかし、本発明の供給装置は、薬剤貯蔵室５ａの底面に穴５ｃを設けてあり、薬剤を充填する際に該穴５ｃと薬剤導出部底面に開口する管２ｇとが合わさることによって、薬剤貯蔵室５ａ、ポンプ部３、および投与器の外部の空気圧を均一とすることが可能であり、したがって、定量の薬剤を計量することが可能である。
【００７２】
図８は本発明の供給装置のカウンタ機構の第２実施形態を（参考例として）示す分解斜視図である。前述の実施形態は、貯蔵物の１回の吐出操作につき、回転部材４０を、単回供給分の貯蔵物の計量する第１位置（充填位置）と、計量した貯蔵物の供給を許容する第２位置（吐出位置）との間の所定角度の範囲内で回転可能とした構造であるが、この第２実施形態においては、回転部材４０を所定の方向の回転（正回転）のみ可能とした。
【００７３】
即ち、リング部材３０は回転部材４０と一体的に回転する点、並びに歯車２０が固定台１０の突起１４により空転するのが阻止される点は前述の第１実施形態と同様であるが、リング部材３０の内周部には第１位置と第２位置とで回転規制する部材として、１ヶ所設けられた弾性部３１の先端の爪３２と、これらの爪３２に対応して、固定台１０に１８０°対向して２ヶ所設けられた変形可能なリブ１９がある。したがって、リング部材３０の突起３２が正回転時に、リブ１９の凹部１９ａに入り込み、回転規制される。そして、さらに回転規制力を上回る力で正回転させると突起３２と凹部１９ａの嵌合が解除され回転可能となり、１８０°回転後再び回転規制される。すなわち本実施形態では、１８０°毎に充填・吐出がくり返されることになる。
【００７４】
したがって、この第２実施形態では、第１実施形態の固定台１０における前述の突起１６（図４）及び回転部材４０のスリット４５（図７）は設けられていない。
【００７５】
そして、第１位置（充填位置）及び第２位置（吐出位置）へ正回転し、更にこの第２位置から第１位置へ正回転する１回の供給操作の間に、リング部材３０の弾性部３１の爪３２が歯車２０に係合して歯車２０の目盛り１コマのみ回転される。そして、前記第１実施形態と同様、その歯車２０の回数表示を、例えば回転部材４０の窓４７から見ることができる。なお、この第２実施形態では、回転部材４０及びリング部材３０が３６０°回転して、歯車２０が１目盛り分回転するので、固定台１０のカム山１５は１個のみ設けられている。
【００７６】
図９は本発明の供給装置のカウンタ機構の第３実施形態を示す分解斜視図、図１０はリング部材の斜視図、図１１は固定台の斜視図である。前述の第１及び第２実施形態ではいずれも、静止している固定台１０側にカムベース（カム山）を設け、回転されるリング部材３０側にカム・フォロア（弾性部３１）を設けた構造であったが、この第３実施形態では、逆に、静止している固定台１０側にカム・フォロア（弾性部）を設け、回転されるリング部材３０側にカムベース（カム山）を設けた構造とした。
【００７７】
蓋部４はその上面には上方に突き出た１個又は複数個の突起４ａが設けられている。一方、リング状の固定台１０は、フランジ部１１と内円筒部１２ａと外円筒部１２ｂが適当な樹脂等で一体的に形成されたもので、フランジ部１１の底面には蓋部４の突起４ａに嵌合される孔１３を有し、リング状の固定台１０が蓋部４上に回転不能に固定される。
【００７８】
固定台１０の内円筒部１２ａには、後述する回転部材４０の円板部４２に設けられた円弧状のスリット４５に嵌合する１つの突起１６がフランジ部１１とは反対側の先端に突出するように設けてある。また、固定台１０の外円筒部１２ｂには、内周側に少し突き出して所定の距離だけ周方向に延びた約１８０°の間隔で１対の弾性部３１を有し、各弾性部３１の先端に内径側に突き出た爪部３２を有する。更に、これらの爪部３２の上側にやや突き出したカム・フォロア部３３を有する。これらの１対の弾性部３１は固定台１０に対して弾性変形可能であり、カム・フォロア部３３は後述するリング部材３０の１対のカム山１５と協働してカム機構を構成するものである。
【００７９】
リング部材３０は、適当な樹脂等で一体成形された略リング状のもので、その外周部には外側に突き出た１個又は図示のように１８０°間隔に配置された２個の突起３４を有する。これらの突起３４は、回転部材４０の孔４４に嵌合して、リング部材３０を回転部材４０と一緒に回転させるものである。また、このリング部材３０には、円周方向にカム溝１７が形成され、このカム溝１７に沿って１対のカム山１５が、カム溝１７の半径方向の外側に設けられており、後述するように、固定台１０の弾性部３１を案内し、固定台１０の爪部３２がカム山１５に接触した際に、このカム溝１７によって、爪部３２を半径方向の内側へ移動して、歯車２０の外歯２３に係合することができる。なお、突起３４の数は、リング部材３０と回転部材４０を一緒に回転させることができれば限定されず、２個より多くてもよい。
【００８０】
リング部材３０には、後述する歯車２０の空転を防止するための１個又は図示のように約１８０°対向する位置に１対の突起１４が設けられ、歯車２０の円筒部と略平行に延びて、これらの突起先端部は半径方向内側に向っていて、歯車２０の外歯２３に接触している。
【００８１】
歯車２０は、前述の実施形態と同様の構造を有し、内筒部２２が固定台１０の円筒部１２ａの外周に回転可能に嵌合している。しかしながら、歯車２０が固定台１０に嵌合されている間、リング部材３０の１対の突起１４が外歯２３に軽く接触・嵌合しており、歯車２０はリング部材３０に対して空転するのが阻止される。フランジ部２１の外歯２３とは反対側の面には、円周方向に薬剤の投与回数をあらわす目盛りが刻まれている。
【００８２】
回転部材４０は、前述のように、その円筒部４３にリング部材３０の突起３４に嵌合する１個又は複数個の孔４４を有すると共に、固定台１０の突起１６に係合する円板部４２の円周方向に所定角度延びたスリット４５が形成される。
したがって、回転部材４０はスリット４５で規定される所定角度の範囲内で、固定台１０に対して回転することができ、単回供給分の貯蔵物を計量する第１位置（充填位置）と、計量した貯蔵物の吐出を許容する第２位置（吐出位置）との間の所定角度の範囲内で回転可能となる。
【００８３】
この第３実施形態においても、蓋部４、固定台１０、歯車２０、リング部材３０及び回転部材４０は同心円上に組み付けられ、リング部材３０は回転部材４０と一体的に回転するように構成され、回転部材４０が単回供給分の貯蔵物の吐出を許容する第１位置（充填位置）と、貯蔵物の供給を阻止する第２位置（吐出位置）との間の所定角度の範囲内で回転する際に、リング部材３０も同様に同一の角度範囲内で、固定台１０に対して回転移動することとなる。
【００８４】
図１２は、第３実施形態において、リング部材３０が第１位置から第２位置へ移動し、また第２位置から第１位置へ戻る間に、歯車２０を目盛り１コマのみ回転させて、カウント表示を行う動作を示す図である。
【００８５】
図１２（ａ）は初期（第１）位置であり、例えば、粉末薬剤を供給する供給位置とする。図１２（ｂ）は回転部材を矢印方向に回転させて、カムの作用が開始する時点、図１２（ｃ）はカムの作用が完了した時点、図１２（ｄ）は回転部材が矢印方向に所定の角度（例えば１２０度）回転されて、例えば粉末薬剤を充填する充填位置（第２位置）に達した時点、図１２（ｅ）は回転部材を反対方向に回転させて、カムがその作用を行われずに通過する時点をそれぞれ示す。
【００８６】
図１２（ａ）〜（ｅ）において、外側から回転部材４０、固定台１０、リング部材３０（突起１４）、及び歯車２０の基準位置をそれぞれ丸印Ｐ、Ｑ、Ｒ、Ｓで示す。図１２（ａ）の初期位置では、各部材の基準位置Ｐ、Ｑ、Ｒ、Ｓは回転方向の同一の位置として示す。固定台１０は、回転部材４０、リング部材３０及び歯車２０の動作に関係なく、回転しないから、その基準位置Ｑは各段階を通じて変化しない。
【００８７】
回転部材４０及びリング部材３０は連動して回転するので、それらの基準位置Ｐ及びＲは常に回転方向に同一位置にある。また、歯車２０は、前述のように、リング部材３０に対して空転するのを阻止されているので、カムの作用によってカウント目盛りが１目盛り分進まない限り、即ち、図１２（ｂ）のカム作用の開始時点までは、リング部材３０と同じ動きをし、その基準位置ＳはＰ及びＲと回転方向の同一位置である。
【００８８】
しかしながら、リング部材３０のカム山１５が固定台１０の弾性部３１の先端に設けたカム・フォロア部の突起３３に到達すると、両者が当接し、弾性部３１の先端の爪部３２は半径方向内側に押される。その際、爪部３２はリング部材３０のカム溝１７の内側で、歯車２０の外歯２３に係合する。そして、歯車２０は突起１４による空転阻止の力よりも強い力で爪部３２によりリング部材３０に対して回転させられる。歯車２０が１歯分ないし１目盛り分回転すると、弾性部３１の先端のカム・フォロア部の突起３３がリング部材３０のカム山１５の反対傾斜面にて、爪部３２は半径方向外側へ戻され、爪部３２は歯車２０の外歯２３から外れる。歯車２０はリング部材３０の突起１４により空転が阻止されているので、リング部材３０に対して１歯分ないし１目盛り分だけしか回転しない。即ち、この状態を図１２（ｃ）に示すように、歯車２０の基準位置ＳはＰ及びＲから１目盛り分だけずれた位置となる。
【００８９】
次に、図１２（ｄ）に示す充填位置に達した時点から、図１２（ｅ）に示すように、回転部材４０を反対方向に回転させて、固定台１０の弾性部３１の先端のカム・フォロア部３３がリング部材３０のカム山１５に到達するが、この時は、カム山１５の反対面に接触するものの、カム山１５を乗り越える動作のみとなる。即ち、弾性部３１の先端の爪部３２はリング部材３０の軸方向には多少変位されるが、半径方向には移動されないので、爪部３２が歯車２０の外歯２３に係合することはなく、したがって、歯車２０はリング部材３０の突起１４により空転が阻止されたままの状態となる。
【００９０】
この第３実施形態におけるその他の構成及び作用は、第１実施形態の場合と同様であるので、詳細な説明は省略する。なお、第１実施形態、第２実施形態においても、各形態の作用に合った、同じ原理のカム作用を採用することができる。
【００９１】
以上添付図面を参照して本発明の供給装置におけるカウンタ機構及びカウンタ機構を有する供給装置の実施形態について説明したが、本発明は上記の実施形態に限定されるものではなく、本発明の精神ないし範囲内において種々の形態、変形、修正等が可能である。
【産業上の利用可能性】
【００９２】
かくして本発明は、簡単な構造で、貯蔵物の供給回数をカウントすることにより目視不可能な装置内部の貯蔵物の残量を把握することが可能な供給装置のカウンタ機構、及びこのようなカウンタ機構を備えた定量供給装置を提供できるという優れた効果を奏するものである。
【００９３】
本発明は、特に一回の使用量が微量の粉末の複数回分の量を容器内に収容した定量供給装置として適しており、かかる装置において既に使用した回数、即ち、粉末の残量を容易に把握することが出来、安全でかつ確実な粉末等の供給を行なうことができる。
【図面の簡単な説明】
【００９４】
【図１】本発明のカウンタ機構を有する供給装置の断面図である。
【図２】本発明の第１実施形態に係るカウンタ機構の分解斜視図である。
【図３】蓋部の正面図である。
【図４】固定台の斜視図である。
【図５】歯車の斜視図（ａ）及びフランジ側から見た平面図（ｂ）である。
【図６】リング部材の斜視図（ａ）、平面図（ｂ）及び断面図（ｃ）である。
【図７】回転部材の正面図である。
【図８】本発明の第２実施形態に係るカウンタ機構の分解斜視図である。
【図９】本発明の第３実施形態に係るカウンタ機構の分解斜視図である。
【図１０】第３実施形態に係るリング部材の斜視図である。
【図１１】第３実施形態に係る固定台の斜視図である。
【図１２】第３実施形態のカウンタ表示動作を説明する図である。
【図１３】ブラインドプレートを含んだ第一実施形態の斜視図である。
【図１４】ブラインドプレートを含んだ第一実施形態の断面図である。
【図１５】文字盤が上面から見えている図である。
【図１６】文字盤が側面から見えている図である。
【符号の説明】
【００９５】
１    本体
２    薬剤導出部
３    ポンプ部
４    蓋部
５    薬剤貯蔵部
６    フィルタ
１０    固定台
１５    カム山
１７    カム溝
２０    歯車
３０    リング部材
３１    弾性部
３２    爪部
３３    突起（カム・フォロア）
４０    回転部材
【図１】
0004592701.tif 000002
【図２】
0004592701.tif 000003
【図３】
0004592701.tif 000004
【図４】
0004592701.tif 000005
【図５】
0004592701.tif 000006
【図６】
0004592701.tif 000007
【図７】
0004592701.tif 000008
【図８】
0004592701.tif 000009
【図９】
0004592701.tif 000010
【図１０】
0004592701.tif 000011
【図１１】
0004592701.tif 000012
【図１２】
0004592701.tif 000013
【図１３】
0004592701.tif 000014
【図１４】
0004592701.tif 000015
【図１５】
0004592701.tif 000016
【図１６】
0004592701.tif 000017